(57)【特許請求の範囲】
【請求項１】
積載部から排出部へシートを搬送する搬送手段と、
前記積載部に積載されているシートの有無を検知する第一の検知手段と、
前記第一の検知手段よりもシートの搬送方向で下流側の位置において、前記搬送手段により搬送されるシートの端部を検知する第二の検知手段と、
前記第二の検知手段が先端を検知したシートの後端が前記第一の検知手段を通過したことを前記シートの長さに関する長さ情報に基づいて決定し、当該決定をしたときの前記第一の検知手段の検知結果に基づいて前記積載部にシートが積載されているか否かを判定する積載判定手段と、を備えることを特徴とする搬送装置。
【請求項２】
請求項１に記載の搬送装置であって、
前記積載判定手段は、前記長さ情報に基づき決定される、シートが前記第二の検知手段を通過してからの前記搬送手段によるシートの搬送量に応じて、前記第二の検知手段が検知したシートの後端が前記第一の検知手段を通過したことを決定することを特徴とする搬送装置。
【請求項３】
請求項２に記載の搬送装置であって、
前記積載判定手段は、前記第一の検知手段と前記第二の検知手段との距離に関する距離情報に更に基づいて決定される前記シートの搬送量に応じて、前記第二の検知手段が検知したシートの後端が前記第一の検知手段を通過したと決定することを特徴とする搬送装置。
【請求項４】
請求項１から３のいずれか１項に記載の搬送装置であって、
前記長さ情報に基づいて、前記第二の検知手段が先端を検知したシートの後端が前記第一の検知手段を通過したか否かを判定する通過判定手段を有し、
前記通過判定手段が前記シートの後端が前記第一の検知手段を通過したと判定した場合に、前記積載判定手段が前記第一の検知手段の検知結果に基づいて前記積載部にシートが積載されているか否かを判定することを特徴とする搬送装置。
【請求項５】
請求項３に記載の搬送装置であって、
シートの後端が前記第一の検知手段で検知されてから前記第二の検知手段で検知されるまでの前記シートの搬送量に基づいて前記第一の検知手段と前記第二の検知手段との距離を特定する距離特定手段を更に備えることを特徴とする搬送装置。
【請求項６】
請求項５に記載の搬送装置であって、
前記搬送手段によって前記積載部に積載された複数のシートが連続的に搬送される場合、
前記距離特定手段は、最終のシートの後端が前記第一の検知手段で検知されてから前記第二の検知手段で検知されるまでの前記シートの搬送量に基づいて前記距離を特定することを特徴とする搬送装置。
【請求項７】
請求項１から６のいずれか１項に記載の搬送装置であって、
シートの先端が前記第二の検知手段で検知されてから前記シートの後端が前記第二の検知手段で検知されるまでの前記シートの搬送量に基づいて前記長さを特定する長さ特定手段を更に備え、
前記積載検知手段は、前記長さ特定手段によって前記シートの長さを特定した後に前記搬送手段によって前記積載部から給送される、前記長さが特定されたシートが給送されるときに前記積載部に積載されているシートの後端が前記第一の検知手段を通過したと決定されたときに検知した前記第一の検知手段の検知結果に基づいて前記積載部にシートが積載されているか否かを判定することを特徴とする搬送装置。
【請求項８】
請求項７に記載の搬送装置であって、
前記長さ特定手段は、搬送されるシート毎に長さを特定し、前記積載判定手段は最新のシートの長さ情報に基づいて前記シートの後端が前記第一の検知手段を通過したと決定したときの前記第一の検知手段の検知結果に基づいて前記積載部にシートが積載されているか否かの判定を行うことを特徴とする搬送装置。
【請求項９】
請求項１から８のいずれか１項に記載の搬送装置であって、
前記積載判定手段は、前記積載部にシートが積載されていると判定した場合であっても、前記積載部にシートが積載されているか否かの判定を継続し、前記第一の検知手段がシートを検知しなくなった場合は判定結果を修正することを特徴とする搬送装置。
【請求項１０】
請求項１から９のいずれか１項に記載の搬送装置であって、
前記積載判定手段が前記積載部にシートが積載されていると判定した場合には、前記搬送手段は前記積載部からシートを搬送路に給送する給送動作を行い、前記積載判定手段が前記積載部にシートが積載されていると判定されない場合には、前記搬送手段は前記給送動作を行わないことを特徴とする搬送装置。
【請求項１１】
積載部から排出部へシートを搬送する搬送手段と、
前記積載部に積載されているシートの有無を検知する第一の検知手段と、
前記第一の検知手段よりもシートの搬送方向で下流側の位置において、前記搬送手段により搬送されるシートの端部を検知する第二の検知手段と、
前記第二の検知手段が先端を検知したシートの後端が前記第一の検知手段を通過したことを前記シートの長さに関する情報に基づいて決定し、当該決定をしたことに応じて、前記第一の検知手段の検知結果に基づいて前記積載部にシートが積載されているか否かを判定する積載判定手段と、を備えることを特徴とする搬送装置。
【請求項１２】
請求項１から１１のいずれか１項に記載の搬送装置と、
シートを読み取る画像読取手段と、を有し、
前記搬送手段は、シートを前記積載部から前記画像読取手段に搬送し、前記画像読取手段に読み取られた前記シートを前記排出部へ搬送することを特徴とする画像読取装置。
【請求項１３】
請求項１２に記載の搬送装置であって、
前記距離は、前記画像読取手段にて読み取り可能な最小のサイズのシートの搬送の方向の長さよりも短いことを特徴とする搬送装置。
【請求項１４】
請求項１から１１のいずれか１項に記載の搬送装置であって、
前記搬送手段は、
前記積載部に積載されているシートを搬送路に搬送する給送ローラと、
前記給送ローラによって複数のシートが重送されることを防止して、該複数のシートから一枚のシートを分離する分離手段と、
前記分離手段よりもシートの搬送方向で下流側に配置された搬送ローラと、
前記搬送ローラによって搬送されるシートを前記排出部へ搬送する排出ローラと、を含み、
前記第二の検知手段は、前記搬送方向で前記搬送ローラよりも下流側で前記排出ローラよりも上流側の位置においてシートを検知することを特徴とする搬送装置。
【請求項１５】
シートを読み取る画像読取装置と、
前記画像読取装置が読み取った画像を記録媒体に形成する画像形成装置と、
を備えた画像形成システムであって、
前記画像読取装置は、
積載部から排出部へシートを搬送する搬送手段と、
前記搬送手段により搬送されるシートを読み取る画像読取手段と、
前記積載部に積載されているシートを検知する第一の検知手段と、
前記第一の検知手段よりもシートの搬送方向で下流側の位置において、前記搬送手段により搬送されるシートを検知する第二の検知手段と、
前記第二の検知手段が先端を検知したシートの後端が、前記シートの長さに関する情報に基づいて前記第一の検知手段を通過したと決定されたときに検知した前記第一の検知手段の検知結果に基づいて前記積載部にシートが積載されているか否かを判定する積載判定手段と、を備え、
前記画像形成装置は、
前記積載判定手段の判定結果に基づいて、記録媒体の給送を開始するか否かを判定するための判定手段をさらに備えることを特徴とする画像形成システム。
【請求項１６】
積載部から排出部へ搬送されるシートを搬送路の途中位置で検知する検知工程と、
前記検知工程で検知したシートの後端が、前記積載部の検知位置を通過したと前記シートの長さに関する情報に基づいて決定したときの前記検知位置でのシートの検知結果に基づいて前記積載部にシートが積載されているか否かを判定する判定工程と、を備えることを特徴とする判定方法。
【請求項１７】
コンピュータに、
積載部から排出部への搬送路の途中位置に到達したことが検知されたシートの後端が、前記積載部の検知位置を通過したと前記シートの長さに関する情報に基づいて決定したときの前記検知位置でのシートの検知結果に基づいて前記積載部にシートが積載されているか否かを判定する判定工程を実行させることを特徴とするプログラム。
【発明の詳細な説明】
【技術分野】
【０００１】
本発明は、積載されたシートの検知技術に関する。
【背景技術】
【０００２】
ＡＤＦ（自動原稿給送装置）のように、積載されたシートを一枚ずつ順次搬送する装置においては、先行するシートの搬送中に、後続のシートが積載部に残っているか否かを早期に判定したい場合がある。例えば、シートを読み取る読取装置と、読み取った画像を記録媒体に複写する画像形成装置とを備える複合機における複写動作を挙げれることができる。複写動作の効率を向上するためには、読み取り対象となる後続のシートが有る場合には後続のシートの読み取りに先だって、記録媒体の給送動作を開始することが有利となる。そのためには後続のシートが有るか否かをできるだけ早く判定する必要がある。
【０００３】
積載部には、通常、積載部にシートがあるか否かを検知するセンサが設けられている。しかし、センサの検知結果だけでは、読み取り中のシートなのか、後続のシートなのかを区別できない。特許文献１には、読み取り中の原稿の後端が分離位置を通過したと推測した時点でセンサの検知結果を参照し、次原稿が積載部に有るか否かを判定する方法が開示されている。
【先行技術文献】
【特許文献】
【０００４】
【特許文献１】特開２０１３−１８４７７８号公報
【発明の概要】
【発明が解決しようとする課題】
【０００５】
しかし、特許文献１の方法では、後続のシートの有無を判定するためには、読み取り中のシートの後端が分離位置を通過するまで待つ必要がある。
【０００６】
本発明は、後続のシートの有無を、より早い段階で判定することを可能とするものである。
【課題を解決するための手段】
【０００７】
本発明によれば、積載部から排出部へシートを搬送する搬送手段と、前記積載部に積載されているシートの有無を検知する第一の検知手段と、前記第一の検知手段よりもシートの搬送方向で下流側の位置において、前記搬送手段により搬送されるシートの端部を検知する第二の検知手段と、前記第二の検知手段が先端を検知したシートの後端が前記第一の検知手段を通過したことを前記シートの長さに関する長さ情報に基づいて決定し、当該決定をしたときの前記第一の検知手段の検知結果に基づいて前記積載部にシートが積載されているか否かを判定する積載判定手段と、を備えることを特徴とする搬送装置が提供される。
【発明の効果】
【０００８】
本発明によれば、後続のシートの有無を、より早い段階で判定することができる。
【図面の簡単な説明】
【０００９】
【図１】本発明の一実施形態に係る画像形成システムのブロック図。
【図２】図１の画像形成システムが備える自動原稿送り装置の説明図。
【図３】記録領域に格納される情報の例を示す図。
【図４】（Ａ）〜（Ｃ）はセンサ間の距離を特定する動作の説明図。
【図５】（Ａ）〜（Ｃ）は原稿長を特定する動作の説明図。
【図６】（Ａ）〜（Ｃ）は次原稿の有無を判定する動作の説明図。
【図７】複写動作の例を示すタイミングチャート。
【図８】センサ間の距離を特定する処理の例を示すフローチャート。
【図９】原稿長を特定する処理の例を示すフローチャート。
【図１０】次原稿の有無を判定する処理の例を示すフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明に必須のものとは限らない。
【００１１】
図１は、本発明の一実施形態に係る画像形成システム１のブロック図である。画像形成システム１は複合機を構成するシステムであり、複写機能、スキャナ機能、プリンタ機能及びファクシミリ機能を有している。画像形成システム１のことを複合機と呼ぶ場合がある。複合機１は、その複写機能としてシートを読み取り、読み取った画像を紙等の記録媒体に形成することが可能である。以下の説明においては、読み取り対象のシートを原稿と呼ぶ場合がある。
【００１２】
複合機１は、外部インターフェース４から外部バス２を介してコンピュータ３に接続されている。本実施形態の場合、この外部バス２は、ＵＳＢ（ユニバーサル・シリアル・バス）で構成しているが、複数の外部装置と接続可能なネットワーク接続や、他のインターフェースでもよい。
【００１３】
ＣＰＵ１０は、ＲＯＭ１１に記憶されたプログラムを実行することによって複合機１の制御を行うプロセッサである。内部バス１４は、各ブロックを接続するバスである。ＲＯＭ１１はＣＰＵ１０で動作するプログラムや固定的データを保存するためのメモリである。ＲＡＭ１２は、電源をオフした場合に記憶データが揮発してしまうようなデータを保持する書換え可能な作業用メモリである。一方、不揮発性ＲＡＭ１３は、電源をオフしても記憶しているデータが揮発しない、恒久的にデータを記憶する書換え可能なメモリである。ＲＯＭ１１、ＲＡＭ１２及び不揮発性ＲＡＭ１３は一例であり、複合機１に適用可能な記憶デバイスの種類及び数はこれに限られるものではない。
【００１４】
操作部５は、例えばタッチパネルを含み、操作者により種々の操作指示を受け付けたり、画像の表示を行うユーザーインターフェースである。
【００１５】
画像読取部７は、原稿を読み取るイメージセンサユニットを含む。イメージセンサユニットは、原稿に光を照射する光源や、その反射光を読み取り光電変換する素子を配列したイメージセンサを含む。画像読取制御部６は、画像読取部７が出力するアナログ電気信号をＡ／Ｄ（アナログ／デジタル）変換したり、画像読取部７の特性補正を行ったりする処理回路を含む。また、画像読取制御部６は、デジタル画像データをＲＡＭ１２へ記憶するためＤＭＡ（ダイレクトメモリアクセス）転送を行う回路も含む。画像読取制御部６は画像読取部７が出力するアナログ電気信号を逐次処理して、１つのデジタル画像データとしてＲＡＭ１３へ記憶する。
【００１６】
自動原稿送り装置１７は原稿を搬送する装置である。画像読取部７による原稿の読み取りは、自動原稿送り装置１７を利用して原稿を順次搬送しつつ行うことが可能である。
【００１７】
画像処理部８は、ＲＡＭ１２に記憶している画像データを読み出し、画質改善のための様々な画像処理や画像形成のための画像変換処理を行う回路である。また、画像処理部８は、ＲＡＭ１２に記憶している画像データを読み出し、ＪＰＥＧ法などを用いて符号化処理する回路と、符号化データを復号化処理する回路を備える。
【００１８】
画像形成部９は、例えば、静電潜像を形成するための回転可能な像担持体として感光体ドラムを用いた電子写真方式により記録媒体に画像を形成する装置である。
【００１９】
複合機１を、自動原稿送り装置１７を使用してスキャナとして用いる場合、まず、後述の原稿積載部２０１上に積載された原稿を画像読取部７で読み取る。読み取ったデータはアナログ電気信号で出力される。そして画像読取制御部６でＡ／Ｄ変換と特性補正を行い、デジタル信号を画像データとしてＲＡＭ１２に記憶する。画像処理部８でＲＡＭ１２に書き込んだ画像データを、ＪＰＥＧ符号化して、符号化データをＲＡＭ１２に記憶する。そして、符号化データを外部インターフェース４から外部バス２を介してコンピュータ３に送出する。
【００２０】
コンピュータ３では、符号化データを画像ファイルとしてコンピュータ３内に備える記憶装置に記憶する。ここでは符号化の方法としてＪＰＥＧ法を例に挙げて説明しているが、本発明はＪＰＥＧ符号化に限定するものではなく他の符号化方式を用いてもよいし、画像処理部８による符号化を行わずに、画像データをコンピュータ３に送出してもよい。
【００２１】
複合機１を複写機として原稿の複写機能を用いる場合、原稿の符号化データをＲＡＭ１２に記憶するまでは、スキャナとして用いる場合と同じである。そして、画像処理装置８で符号化データを復号化し、画像データに様々な画像処理を行い、画像形成部９で読取画像を記録媒体に形成する。ここでは、読取った原稿を符号化データとしてＲＡＭ１２記憶する方法として説明しているが、画像を符号化せずに画像をＲＡＭ１２に記憶して、画像処理装置８で様々な画像処理を行う方法でもよい。
【００２２】
複合機１を読取側のファクシミリとして原稿データを送出する場合、画像データをＲＡＭ１２に記憶するまでは、スキャナとして用いる場合と同じである。次にＲＡＭ１２内の画像データは、画像処理部８によりＪＰＥＧ法などを用いて符号化処理をされ、コードデータとして再び、ＲＡＭ１２に書き込まれる。次にＣＰＵ１０はＲＡＭ１２からコードデータをモデム１５に転送し、モデム１５は転送されたデータを変調し、ＩＴＵ−Ｔ勧告によって定められた通信機能に基づいて、公衆回線１６を経由して他のファクシミリ装置に画像データを送出する。
【００２３】
図２は、自動原稿送り装置１７の説明図であり、自動原稿送り装置１７の原稿の搬送路ＲＴを横からみた概略断面図である。自動原稿送り装置１７は、原稿積載部２０１から原稿排出部２０７へ原稿を搬送する搬送装置である。原稿積載部２０１には読み取り対象となる原稿が積載される。原稿積載部２０１は複数枚の原稿を積載可能なトレイである。原稿排出部２０７には読み取った原稿が排出される。原稿排出部２０７は読み取った原稿を複数枚積載可能なトレイである。
【００２４】
自動原稿送り装置１７原稿積載部２０１から原稿排出部２０７へ、搬送路ＲＴを通して原稿を搬送する搬送機構を備える。この搬送機構は、搬送方向で上流側から順に配置された給送ローラ２０３、分離ローラ２０４、一対の搬送ローラ２０５及び一対の排出路ローラ２０６を含む。
【００２５】
給送ローラ２０３、分離ローラ２０４は、モータ等を駆動源とした駆動機構により回転される駆動ローラである。分離ローラ２０４は給送ローラ２０３によって複数の原稿が重送されることを防止して、複数の原稿から一枚の原稿を分離して搬送する。一対の搬送ローラ２０５及び一対の排出ローラ２０６は、その一方のローラがモータ等を駆動源とした駆動機構により回転される駆動ローラであり、その他方のローラが駆動ローラに圧接して従動する従動ローラである。
【００２６】
駆動機構は、例えば、駆動モータを備える。駆動モータは、ＤＣモータであって、モータ軸上に備えるコードホイールに印刷されたスリットパターンをエンコーダセンサで読取ることで、その回転量を検出する。エンコーダセンサからの回転量に基づいて、駆動モータの回転制御が行われる。駆動モータの駆動力は、ギア列等の伝達機構によって、給送ローラ２０３、分離ローラ２０４、搬送ローラ２０５、排出ローラ２０６に伝わる。スリットパターンは、１スリットあたり所定量の原稿搬送量に設定されているため、回転量から原稿の搬送量を検出することができる。ここでは、駆動モータをＤＣモータとして説明したが、例えば、パルスモータでも構わない。パルスモータを使用した場合は、モータの回転量や原稿の搬送量を駆動パルス数から求めて構わない。
【００２７】
原稿検知センサ２０８は、原稿積載部２０１に原稿が積載されているか否かを検知するするためのセンサである。原稿エッジセンサ２０９は、原稿検知センサ２０８よりも原稿の搬送方向で下流側の位置において、搬送される原稿を検知するセンサである。これらのセンサとしては、例えば、原稿と接触して回動するレバーと、レバーの回動を検知するセンサとから構成されるセンサーレバー方式のセンサユニットであってもよい。また、発光部と受光部を有し原稿に反射した反射光を受光部で検出する反射型のセンサユニットであってもよい。
【００２８】
原稿検知センサ２０８の原稿検知位置は、原稿積載部２０１の端部（搬送路ＲＴ側の端部）の底部に設定されている。原稿エッジセンサ２０９の原稿検知位置は、搬送路ＲＴの途中位置に設定されている。具体的には、原稿エッジセンサ２０９の原稿検知位置は、原稿の搬送方向で搬送ローラ２０５よりも下流側で、排出ローラ２０６よりも上流側に設定されており、特に、原稿の読取位置２１５よりも上流側に設定されている。原稿検知センサ２０８と原稿エッジセンサ２０９の各検知位置間の距離は、使用が想定されている最小サイズの原稿の原稿長よりも短い。
【００２９】
搬送ローラ２０５で搬送している原稿２０２の先端が原稿エッジセンサ２０９に達した時にセンサの出力値が変化することで、原稿２０２の先端が原稿エッジセンサ２０９の原稿検知位置であることを検出することができる。また、原稿エッジセンサ２０９は、原稿２０２の後端が原稿エッジセンサを抜けた時にセンサの出力値が変化することで、原稿２０２の後端の位置が原稿エッジセンサ２０９の原稿検知位置であることを検出することができる。
【００３０】
本実施形態では、原稿エッジセンサ２０９は原稿の読み取りタイミングを決定するためのセンサである。複合機１は、検出した原稿の先端の位置と原稿の後端の位置に基づいて、読み取り開始と読み取り終了を行う。原稿２０２の読み取り開始は、原稿エッジセンサ２０９で原稿の先端位置を検出した時点から、あらかじめ設定した読取開始搬送量を搬送した後に読み取り開始することで行う。例えば、原稿エッジセンサ２０９で原稿先端位置を検出した位置を位置２１６とすると、読取位置２１５までの距離２１７を搬送した後に読取りを開始することで、原稿先端から読取ることができる。原稿２０３の読取終了は、原稿エッジセンサ２０９で原稿の後端位置を検出した時点から、あらかじめ決められた読取終了搬送量を読み取った後に読み取り終了することで行う。
【００３１】
自動原稿送り装置１７を用いて原稿の読み取りを行う場合、まず、給送ローラ２０３によって、原稿積載部２０１の最上位の原稿２０２を搬送路ＲＴ内へ給送する。複数の原稿が給送されても、分離ローラ２０４によって最上位の原稿２０２が１枚に分離され搬送される。分離ローラ２０４は、搬送ローラ２０５より遅い速度で回転するようになっており、１枚目の原稿と２枚目の原稿間に所定量の間隔が開くようになっている。
【００３２】
給送した原稿２０２は、搬送路ＲＴに沿って搬送ローラ２０５で搬送し、原稿先端が読取位置２１５に到達したら、読み取りを開始する。読み取りを開始した後、原稿２０２を搬送しながら読み取りを続けて、原稿後端まで読み取った後または、所定量読み取った後、読み取りを終了する。読み取りの終わった原稿２０２は、排出ローラ２０６で原稿排出部２０７に排出する。
【００３３】
ここでは、原稿の先端から読み取り開始し、原稿の後端まで読み取る説明をしたが、他に、原稿先端よりあらかじめ決められた量だけ先に読み取り開始したり、原稿後端よりあらかじめ決められた量だけ後に読み取り終了をしたりする構成でもよい。
【００３４】
イメージセンサユニット２１０は上述した画像読取部７を構成する。イメージセンサユニット２１０は原稿２０２の上面を読取る。イメージセンサユニット２１０は、密着型イメージセンサ（ＣＩＳ）を備え、搭載されたＬＥＤから原稿面に光を照射し、反射光をロッドレンズアレイでセンサ素子に結像させ原稿を読取る。自動原稿送り装置１７を用いた読み取りの場合、イメージセンサユニット２１０は、読取位置２１５に位置する。読取位置２１５においてイメージセンサユニット２１０は搬送路ＲＴに対しガラスＧを介して対向し、原稿を読取る。
【００３５】
イメージセンサユニット２１０は、不図示の駆動機構によって、図中の矢印２１１の方向に移動することが可能である。読取動作中以外は、待機位置２１２に位置する。自動原稿送り装置１７を用いた読み取りの場合、イメージセンサユニット２１０を待機位置２１２から所定量移動させることで読取位置２１５に停止させ、搬送路ＲＴに沿って搬送される原稿を流し読みする。待機位置２１２は、後述するキャリブレーションシート２１３を使用してイメージセンサユニット２１０の位置を検出することで正確に保たれている。
【００３６】
イメージセンサユニット２１０は、自動原稿送り装置１７を用いた読み取りだけでなく、原稿読取り面２１４上に載置された原稿の読み取りでも使用する。この読み取りでは、イメージセンサユニット２１０を原稿読み取り面２１４に沿って移動させることで、原稿読み取り面２１４置かれた原稿を読み取る。原稿読取り面２１４には読取ガラスがあり、読取ガラス上に置かれた原稿を、イメージセンサユニット２１０を図中左側から右側に移動させながら、流し読みをすることで原稿を読取る。
【００３７】
キャリブレーションシート２１３は、イメージセンサユニット２１０の特性補正を行うための白基準を取得するためのシートである。また、キャリブレーションシート２１３には、イメージセンサユニット２１０の基準位置を判定するためのパターンが形成されていて、イメージセンサユニット２１０の位置を検出するためにも使用している。イメージセンサユニット２１０を移動させながらキャリブレーションパターン２１３付近を読み取り、読取った画像からパターンを検出することでイメージセンサユニット２１０の位置を検出する。待機位置２１２を、キャリブレーションパターン２１０から規定距離だけ離れた位置とすることで、イメージセンサユニット２１０の待機位置２１２を正確に保つことが可能となる。イメージセンサユニット２１０の位置検出は、電源ＯＮ時と読取動作終了後に待機位置２１２に移動する前に毎回行う。
【００３８】
ここではキャリブレーションシート２１３に形成されたパターンを用いてイメージセンサユニット２１０の位置検出を行う説明をしているが、位置検出方法はこれに限られない。イメージセンサユニット２１０の位置を検出するセンサを備えて位置を検出しても構わないし、イメージセンサユニット２１０を移動可能なだけ移動させ可動範囲端部につき当てることで位置を検出しても構わない。
【００３９】
図３は、ＲＡＭ１２の記憶領域に格納される情報の例を示す図である。ＲＡＭ１２には、原稿後端の原稿検知センサ通過位置を記憶する記憶領域３０１と、原稿後端の原稿エッジセンサ通過位置を記憶する記憶領域３０２と、原稿検知センサ‐原稿エッジセンサ間距離を記憶する記憶領域３０３とが予め確保されている。更に、原稿先端の原稿エッジセンサ通過位置Ａを記憶する記憶領域３０４と、原稿後端の原稿エッジセンサ通過位置を記憶する記憶領域３０５とが予め確保されている。更に、測定原稿長３を記憶する記憶領域０６と、原稿先端の原稿エッジセンサ通過位置Ｂを記憶する記憶領域３０７と、次原稿有無判定搬送量を記憶する記憶領域３０８とが予め確保されている。ＲＡＭ１２に記憶した各情報は、後述の制御動作によって利用する。
【００４０】
記憶領域３０１の原稿後端の原稿センサ通過位置と、記憶用力３０２の原稿後端の原稿エッジセンサ通過位置は、搬送している原稿の後端がセンサを通過した時の位置情報である。これらの情報は、原稿検知センサ２０８と原稿エッジセンサ２０９との間の距離（センサ間距離と呼ぶ場合がある）を算出するために使用する。
【００４１】
なお、各位置情報は、例えば、原稿の給送を開始してからの駆動モータの回転量であってもよい。具体的には、位置情報は、図２の駆動系の説明で述べた、駆動系に備えるエンコーダセンサで検出したスリット数であってもよい。また、スリット数を他の単位系に換算した値でも構わないし、駆動系にパルスモータを使用した場合は、駆動パルス数を位置情報としても構わない。各位置情報は、先述した駆動系に備えるスリットパターンを駆動によってカウントしたスリット数を、搬送位置に換算してＲＡＭに記憶した値であってもよい。
【００４２】
記憶領域３０３の原稿検知センサ‐原稿エッジセンサ間距離は、センサ間距離の情報であり、次原稿の有無を判定する時の判定タイミングの算出に使用する。記憶領域３０４の原稿先端の原稿エッジセンサ通過位置と、記憶領域３０５の原稿後端の原稿エッジセンサ通過位置は、搬送している原稿の先端と後端が原稿エッジセンサ２０９を通過した時の位置情報である。これらの情報は搬送している原稿の搬送方向の長さを算出するために使用する。記憶領域３０６の原稿長は、算出した原稿の搬送方向の長さで、次原稿有無を判定する時の判定タイミングの算出に使用する。
【００４３】
記憶領域３０７の原稿先端の原稿エッジセンサ通過位置Ｂは、搬送している原稿の先端が原稿エッジセンサ２０９を通過した時の位置情報で、次原稿有無判定をする時の判定タイミングの算出に使用する。記憶領域３０８の次原稿有無判定搬送量は、次原稿有無判定の判定タイミングに使用する搬送量で、原稿先端が原稿エッジセンサ２０９を通過してから次原稿の有無判定を行うタイミングの搬送量として使用する。
【００４４】
＜次原稿の判定＞
自動原稿送り装置１７を用いた原稿の複写動作においては、原稿の読み取りに合わせて画像形成部９における記録媒体をより早く給送することで、複写開始から終了までの時間を短縮できる。原稿数に応じた記録媒体を給送するためには、原稿積載部２０１上に後続の原稿が残っているか否かを判定することが必要となる。この判定タイミングが早ければ早い程、記録媒体の給送開始を早く行うことができ、複写時間を短縮できる。
【００４５】
原稿積載部２０１上の原稿は、原稿検知センサ２０８で検知されるが、その検知結果だけでは、検知されている原稿が現在給送中の原稿なのか、次原稿なのかは区別できない。本実施形態では、現在給送中の原稿の後端が、原稿検知センサ２０８を通過するタイミングを推定する。そして、後端が通過したと推測されたときの原稿検知センサ２０８の検知結果から、次原稿の有無を判定する。これにより、後続の原稿の有無を、より早い段階で判定することができる。
【００４６】
この推定のために、センサ間距離と、原稿の長さとを用いる。これらの情報の取得方法についてまず説明し、次原稿の有無の判定について説明する。
【００４７】
＜センサ間の距離特定＞
図４（Ａ）〜図４（Ｃ）は、センサ間距離を特定する動作の説明図である。理解を容易にする目的で、図４（Ａ）〜図４（Ｃ）は、図２の自動原稿送り装置１７の搬送路ＲＴを直線として図示している。
【００４８】
図４（Ａ）は、原稿積載部２０１に１枚の原稿が積載された状態を示す。原稿４０２は、原稿積載部２０１に積載された原稿を示す。図４（Ｂ）は、図４（Ａ）の状態から原稿４０２を給送して、原稿４０２の後端が原稿検知センサ２０９を通過した時点の状態を図示したものである。位置４１１は、原稿の後端が原稿検知センサ２０８を通過した時点の位置情報であり、位置４１１をＲＡＭ１２の記憶領域３０１に、原稿後端の原稿検知センサ通過位置として記憶する。
【００４９】
図４（Ｃ）は、図４（Ｂ）の状態から原稿４０２を搬送して、原稿４０２の後端が原稿エッジセンサを通過した時点の状態を図示したものである。位置４２１は、原稿の後端が原稿エッジセンサを通過した時点の位置情報であり、位置４２１をＲＡＭ１２の記憶領域３０２に原稿後端の原稿エッジセンサ通過位置３０２として記憶する。
【００５０】
センサ間距離４２２は、以下の計算で算出することができる。
（センサ間距離４２２） ＝  （原稿後端が原稿エッジセンサを通過した位置４２１） − （原稿後端が原稿検知センサを通過した位置４１１）
つまり、センサ間距離は原稿後端が原稿検知センサ２０８を通過してから原稿エッジセンサ２０９を通過するまでの原稿の搬送量である。算出したセンサ間距離４２２は、ＲＡＭ１２の記憶領域３０３に、原稿検知センサ‐原稿エッジセンサ間距離としてに記憶する。記憶領域３０３に以前の測定値が記憶されている場合は、上書きして更新する。記憶した値の使用方法は、後述する図６で説明する次原稿有無検知の動作で説明する。
【００５１】
なお、ここでは、センサ間距離をＲＡＭ１２に記憶する方法で説明したが、電源ＯＦＦ電源ＯＮ後に記憶した情報を使用できるように不揮発性ＲＡＭ１３に記憶しても構わない。また、本実施形態では、センサ間距離を実測して更新しているが、予め設定される固定値であってもよい。固定値は、センサ間距離の設計値であってもよい。また、固定値はこの設計値に、各センサの取り付け位置のずれや、搬送路ＲＴを通る原稿の撓みや張りによる距離のばらつきを加味した値であってもよい。
【００５２】
センサ間距離の実測は、テストシートを用いて行ってもよいが、実際の原稿読取動作における原稿搬送で行うことができる。そして、原稿検知センサ‐原稿エッジセンサ間距離３０３を更新することによって、各センサの取り付け位置のずれや、搬送路ＲＴを通る原稿の撓みや張りによる距離のばらつきを含んだ実測値を得ることができる。
【００５３】
実測値を使用して制御することで、後述する図６で説明する次原稿有無検知の動作を早いタイミングで行うことが可能になる。もし、センサ間距離を固定値とする場合には、原稿後端が原稿検知センサ２０８を通過したと推測されるタイミングに、先述したばらつきを考慮したマージンを加える必要がある。実測値を使用する制御は、固定値を使用する場合に比べて、次原稿有無検知するタイミングが最適化されるため、より早いタイミングで次原稿有無の判定を行うことができる。その結果、画像形成部９の給送動作をより早く開始することが可能となり、複写生産性を向上させることができる。
【００５４】
＜原稿の長さ特定＞
図５（Ａ）〜図５（Ｃ）は、原稿長を特定する動作の説明図である。理解を容易にする目的で、図５（Ａ）〜図５（Ｃ）は、図２の自動原稿送り装置１７の搬送路ＲＴを直線として図示している。
【００５５】
図５（Ａ）は、原稿積載部２０１に複数枚の原稿が積載された状態を示す。原稿５０１は、原稿積載部２０１に積載された最上位の原稿１枚を示す。
【００５６】
図５（Ｂ）は、図５（Ａ）の状態から原稿５０１を給送して、原稿５０２の先端が原稿エッジセンサ２０９を通過した時点の状態を図示したものである。位置５１１は、原稿５０１の先端が原稿エッジセンサ２０９を通過した際の位置情報であり、位置５１１をＲＡＭ１２の記憶領域３０４に原稿先端の原稿エッジセンサ通過位置Ａとして記憶する。
【００５７】
図５（Ｃ）は、図５（Ｂ）の状態から原稿５０１を搬送して、原稿５０１の後端が原稿エッジセンサ２０９を通過した時点の状態を図示したものである。位置５２１は、原稿の後端が原稿エッジセンサ２０９を通過した時点の位置情報であり、位置５２１をＲＡＭ１２の記憶領域３０５に原稿後端の原稿エッジセンサ通過位置としてに記憶する。
【００５８】
原稿長５２２は、以下の計算で算出することができる。
（原稿長５２２）  ＝  （原稿後端が原稿エッジセンサを通過した位置５２１）  −  （原稿先端が原稿エッジセンサを通過した位置５１１）
つまり、原稿長は原稿先端が原稿エッジセンサ２０９を通過してから原稿後端が原稿エッジセンサ２０９を通過するまでの原稿の搬送量である。算出した、原稿長５２２をＲＡＭ１２の記憶領域３０６に測定原稿長として記憶する。記憶した値の使用方法は、後述する図６で説明する次原稿有無検知の動作で説明する。
【００５９】
＜次原稿の有無の判定＞
図６（Ａ）〜図６（Ｃ）は、次原稿の有無を判定する動作の説明図である。理解を容易にする目的で、図６（Ａ）〜図６（Ｃ）は、図２の自動原稿送り装置１７の搬送路ＲＴを直線として図示している。
【００６０】
図６（Ａ）は、原稿積載台に複数枚の原稿が積載された状態を示す。原稿６０１は、原稿積載部２０１に積載された最上位の原稿１枚を示す。原稿６０２は、原稿積載部２０１に積載された原稿６０１の下の原稿１枚を示す。
【００６１】
図６（Ｂ）は、図６（Ａ）の状態から、原稿６０１を給送して読取り、次の原稿６０２を給送し、原稿６０２の先端が原稿エッジセンサ２０９を通過した時点の状態を図示したものである。位置６１１は、原稿６０２の先端が原稿エッジセンサ２０９を通過した際の位置情報であり、位置６１１をＲＡＭ１２の記憶領域３０７に原稿先端の原稿エッジセンサ通過位置として記憶する。ここではすでに、原稿６０１の後端が原稿エッジセンサを通過した後の状態であるため、図５（Ａ）〜図５（Ｃ）で説明した原稿長を検出する動作によって、原稿６０１の原稿長６１２の検出を終えている。
【００６２】
図６（Ｃ）は、図６（Ｂ）の状態から、次原稿有無判定を行う時点まで原稿を搬送した状態を図示したものである。図６（Ｂ）の状態から次原稿有無判定を行う時点までの搬送量６２２は、図４（Ａ）〜図４（Ｃ）で説明したセンサ間距離と、図５で説明した原稿長に基づき、下記の計算で算出する。
（次原稿有無判定を行うまでの搬送量６２２）  ＝  （原稿長６１２）  −  （センサ間距離６２１）
算出した次原稿有無判定を行うまでの搬送量６２２は、ＲＡＭ１２の記憶領域３０８に次原稿有無判定搬送量として記憶する。
【００６３】
図６（Ｂ）の状態から次原稿有無判定を行う時点までの搬送量６２２を搬送した状態では、原稿６０２の後端は原稿検知センサ２０８を通過している。したがって、原稿検知センサ２０８は位置６２３の原稿有無を確認することになり、次原稿有無の判定することができる。この状態で原稿検知センサ２０８の出力が原稿有りの場合は次原稿有りと判定し、出力が原稿無しの場合は次原稿無しと判定できる。図６（Ｃ）の例の場合、次原稿有りと判定されることになる。
【００６４】
なお、センサ間距離は、図４（Ａ）〜図４（Ｃ）で説明したように最終原稿の読取りでのみ測定可能なため、以前の読取動作時で更新した、ＲＡＭ１２の記憶領域３０３に記憶しているセンサ間距離を使用する。センサ間距離を測定する動作が行われていない場合は、設計値に基づくデフォルトの値を使用すればよい。デフォルトの値は原稿検知センサ‐原稿エッジセンサ間距離３０３に格納しておいてもよいし、不揮発性ＲＡＭ１３に記憶してもよい。
【００６５】
原稿検知センサ２０８の構成によっては、センサの出力変化が安定するまでに一定の時間を要する場合がある。例えば、センサレバー方式の場合、検知状態の変化時にレバーの振れによる振動が収束するまでセンサ出力が変動する場合がある。また、原稿端部が検知位置においてばたつくこともセンサ出力の変動の要因となる。
【００６６】
そのため、次原稿有無判定を行うまでの搬送量６２２を求める場合に、センサ出力の変化が安定する距離を加味して、
（搬送量６２２）  ＝  （原稿長６１２）  −  （原稿検知センサ‐原稿エッジセンサ間距離６２１） ＋ （センサ出力変化の安定距離）
としても構わない。安定距離は、センサ出力の変化が安定するのに要する時間×原稿の搬送速度とすればよい。
【００６７】
＜複写動作の具体例＞
図７は、複合機１で原稿の複写を行う場合の動作例を示している。同図は、３ページの原稿の複写動作において、２ページ目からの画像読取動作、次原稿の有無の判定（記録媒体の給送制御）及び画像形成動作を示している。原稿の読取りと読みとった画像の記録媒体の形成は並列処理で実行するため、原稿の給送の給送動作と記録媒体の給送動作は、同時に開始する。
【００６８】
記録媒体の給送制御においては、原稿の読取ページ数と、記録媒体の印刷ページ数をもとに給送動作を行うか行わないかを判定する。具体的には、下記の給送開始条件が成り立つ場合に給送を行うと判定し、成り立たない場合に給送を行わないと判定する。
（読取原稿ページ数）−（印刷ページ数） ＞ ０
状態７０３は、読取ページ数が２枚で、印刷ページ数が２枚のため、次ページの記録媒体の給送は行わないと判定する。画像形成制御においては、図中の矢印７０４で模式的に示すように、次ページの記録媒体の給送判定結果を周期的に確認する方式でもよい。別の方式として、給送判定結果が変化した場合に給送開始を指示する方式であってもよい。
【００６９】
符号７０１は、図６（Ａ）〜図６（Ｃ）で説明した次原稿の有無の判定で次原稿有りと判定した時点を示す。次原稿ありの場合、読取原稿ページ数が１加算される。読取原稿ページ数が３枚で、印刷ページ数が２枚となるため、記録媒体の給送を行うと判定される。図の例では、矢印７０６で給送開始が指示され、３ページ目の記録媒体の給送が開始される。
【００７０】
図６（Ａ）〜図６（Ｃ）で説明したように、次原稿の有無の判定は、先行する原稿の後端が原稿検知センサ２０８を通過したと推定されるタイミングで行われる。これにより記録媒体の給送開始をより早く行うことができ、複写動作における生産性を向上させることができる。
【００７１】
３ページ目の記録媒体の給送が開始されると、印刷ページ数が１つ加算される。状態７０７は、読取原稿ページ数が３枚で、印刷ページ数が３枚のため、次頁の記録媒体の給送は行わないと判定される。
【００７２】
符号７０２は、図６（Ａ）〜図６（Ｃ）で説明した次原稿の有無の判定で次原稿無しと判定した時点を示す。次原稿無しの場合、読取原稿ページ数がこれ以上加算されることはないため、３ページ目の原稿が最後の原稿であると確定される。状態７０８は、読取原稿ページ数が３枚で確定し、印刷ページ数が３枚のため、記録媒体の最終ページの給送済みと判定する。
【００７３】
＜処理例＞
ＣＰＵ１０が実行する処理例について説明する。図８はセンサ間距離を特定する処理例を示すフローチャートである。
【００７４】
ステップＳ８０１で、読取り・搬送の動作を行う。この動作には、自動原稿送り装置１７の駆動モータを駆動させ、原稿を給送する動作と、搬送路ＲＴに給送された原稿を搬送する動作と、搬送する原稿をイメージセンサユニット２１０で読取る動作が含まれる。図８の例では、読取り・搬送の動作と、後述するステップＳ８０２〜ステップＳ８０７を順番に行うように説明するが、読取り・搬送の動作は、他の動作と並行動作しても構わない。
【００７５】
ステップＳ８０２は、搬送している原稿の後端が原稿検知センサ２０８を通過したかを判定する。通過している場合は次にステップＳ８０３を処理する。通過していない場合は次にステップＳ８０２を処理する。ステップＳ８０３は、原稿後端が通過した時点の位置情報をＲＡＭ１２の記憶領域３０１に記憶する処理を行う。
【００７６】
ステップＳ８０４は、読取っている原稿が最終原稿かを判定する。最終原稿かの判定は、該原稿の搬送中に次原稿無しと判定された場合に最終原稿となる。読取っている原稿が最終原稿でない場合は、センサ間の距離を測定することができないため、次にステップ８０７を処理する。読取っている原稿が最終原稿の場合は、次にステップ８０５を処理する。
【００７７】
このように原稿積載部２０１に積載された複数の原稿が連続的に搬送される場合は、最終原稿の後端が原稿検知センサ２０８で検知されてから原稿エッジセンサ２０９で検知されるまでの原稿の搬送量でセンサ間距離を特定する。これにより、一枚の原稿を読取る場合だけでなく、複数の原稿を読取る場合にもセンサ間距離を更新することができる。
【００７８】
ステップＳ８０５は、読取っている原稿の後端が原稿エッジセンサ２０９を通過したかを判定する。通過していない場合は次にステップＳ８０７を処理する。通過している場合は、次にステップＳ８０６を処理する。
【００７９】
ステップＳ８０６は、センサ間距離を算出し、ＲＡＭ１２の記憶領域３０３に記憶する。センサ間距離は、図４（Ａ）〜図４（Ｃ）の説明で述べたとおりである。
【００８０】
ステップＳ８０７は、最終原稿の読取りが終了したかを判定する。最終原稿の読取りが終了していない場合、次にＳ８０１を処理することで読取りを継続して行う。最終原稿の読取りが終了している場合、ステップＳ８０８を処理する。ステップＳ８０８は、読取りの終わった最終原稿を排出ローラ２０６で排出する処理を行う。
【００８１】
図９は原稿長を特定する処理例を示すフローチャートである。ステップＳ９０１で原稿長を未確定にする。ここで原稿長を未確定にするのは、複合機１は原稿積載部２０１に積載された原稿長を検出するセンサを備えていないため、使用者が積載した原稿長を直接検出できないためである。
【００８２】
なお、ここでは、ステップＳ９０１で原稿長を未確定にする処理で説明したが、原稿長の初期値は未確定でなくてもよい。例えば、使用者が設定した複写動作の原稿サイズを、原稿長の初期値に設定しても構わない。また、原稿積載部２０１に原稿長を検出するセンサを備えて、検出した原稿長を設定しても構わない。
【００８３】
ステップＳ９０２は、読取り・搬送の動作を行う。この動作には、自動原稿送り装置１７の駆動モータを駆動させ、原稿を給送する動作と、搬送路ＲＴに給送された原稿を搬送する動作と、搬送する原稿をイメージセンサユニット２１０で読取る動作が含まれる。図９の例では、読取り・搬送の動作と、後述するステップＳ９０３〜ステップＳ９０５を順番に行うように説明するが、読取り・搬送の動作は、他の動作と並行動作しても構わない。
【００８４】
ステップＳ９０３は、搬送している原稿の先端が原稿エッジセンサ２０９を通過したかを判定する。原稿の先端が原稿エッジセンサ２０９を通過した場合は、次にステップＳ９０４を処理する。原稿の先端が原稿エッジセンサを通過していない場合は、次にステップＳ９０５を処理する。
【００８５】
ステップＳ９０４は、原稿先端が原稿エッジセンサ２０９を通過した位置を、ＲＡＭ１２の記憶領域３０４に記憶する処理を行う。ここでは、後述するステップＳ９０６で原稿長を算出するために原稿の先端位置を記憶する。
【００８６】
ステップＳ９０５は、搬送している原稿の後端が原稿エッジセンサ２０９を通過したかを判定する。原稿の後端が原稿エッジセンサ２０９を通過した場合は、次にステップＳ９０６を処理する。原稿の先端が原稿エッジセンサ２０９を通過していない場合は、次にステップＳ９０５を処理する。
【００８７】
ステップＳ９０６は、原稿長を算出して、ＲＡＭ１２の記憶領域３０６に記憶する処理を行う。原稿長の算出は、図５（Ａ）〜図５（Ｃ）の説明で述べたとおりである。
【００８８】
ステップＳ９０７は、最終原稿の読取りが終了したかを判定する。最終原稿の読取りが終了していない場合、次にＳ９０２を処理することで読取りを継続して行う。最終原稿の読取りが終了している場合、ステップＳ９０８を処理する。ステップＳ９０８は、読取終わった最終原稿を排出ローラ２０６で排出する処理を行う。
【００８９】
このように原稿毎（シート毎）に原稿長を特定し、ＲＡＭ１２の記憶領域３０６に記憶される原稿長を更新することで、記憶領域３０６に記憶される原稿長は常に最新の情報となる。このため、前回の読み取りと今回の読み取りとで、読み取る原稿のサイズが異なる場合であっても、原稿長を誤認識することを防止できる。なお、複数の原稿を連続的に読み取る場合、これら複数の原稿は通常は同じ原稿サイズであるので、一枚目の原稿についてのみ原稿長を特定してもよい。
【００９０】
図１０は、次原稿の有無を判定する処理例を示すフローチャートである。ステップＳ１００１は、読取り・搬送の動作を行う。この動作には、自動原稿送り装置１７の駆動モータを駆動させ、原稿を給送する動作と、搬送路ＲＴに給送された原稿を搬送する動作と、搬送する原稿をイメージセンサユニット２１０で読取る動作が含まれる。図１０の例では、読取り・搬送の動作と、後述するステップＳ１００２〜ステップＳ１０１１を順番に行うように説明するが、読取り・搬送の動作は、他の動作と並行動作しても構わない。
【００９１】
ステップ１００２は、すでに図９の説明で述べた原稿長の特定が行われているか否かを判定する。原稿長が特定されている場合は、次にステップＳ１００３を処理し、原稿長が特定されていない場合は、ステップＳ１０１１を処理する。
【００９２】
Ｓ１００３は、搬送している原稿後端が原稿検知センサ２０８を通過したか否かを判定する。この判定は原稿後端の位置を推定して行う。具体的には、図６（Ａ）〜図６（Ｃ）で説明したように、センサ間距離と原稿長とに基づいて、搬送中の原稿先端が原稿エッジセンサ２０９を通過してから、原稿後端が原稿検知センサ２０８を通過したと推測される搬送量だけ搬送したか否かを判定する。搬送していれば、原稿後端が原稿検知センサ２０８を通過したと判定することになる。
【００９３】
Ｓ１００４は、この時点で次原稿の有無の判定が未確定かを判定する。次原稿の有無の判定が未確定とは、後述するステップＳ１００６、ステップ１００７が処理されていない状態である。次原稿の有無が未確定の場合は、次にステップＳ１００５を処理し、未確定でない場合は、次にステップＳ１００８を処理する。
【００９４】
Ｓ１００５は、原稿検知センサ２０８の検知結果が原稿有りか原稿無しかを判定する。原稿有りの場合、ステップＳ１００６を処理する。原稿無しの場合、ステップＳ１００７を処理する。Ｓ１００６は、次原稿有りと判定する。Ｓ１００７は、次原稿無しと判定する。
【００９５】
Ｓ１００８〜Ｓ１０１０は原稿長を測定した原稿と搬送している原稿との原稿長に差がある場合や、搬送している原稿がローラに対してスリップしたような場合に、誤って次原稿有りと判定したものを、修正するための処理である。
【００９６】
Ｓ１００８は、搬送している原稿後端が原稿検知センサ２０８を通過したと推測されかつ、次原稿有無が確定している状態で実行する処理である。ここでは、次原稿の有無の判定結果が有りと判定されているかを判定する。次原稿が有りと判定されていた場合は、次原稿の有無の判定を継続すべく、次にステップＳ１００９を処理し、そうでない場合は、次にステップＳ１０１１を処理する。
【００９７】
Ｓ１００９は、原稿検知センサ２０８の検知結果が原稿有りか原稿無しかを判定する。原稿有りの場合、ステップＳ１０１１を処理する。原稿無しの場合、ステップＳ１０１０を処理する。Ｓ１０１０は、原稿検知センサが原稿無しのため、次原稿有りから次原稿無しに判定結果を修正する。このように次原稿有無判定で誤った判定を修正することで、記録媒体の給送動作を行う前に、判定が修正されれば不要な給送動作を行うことを防ぐことができる。
【００９８】
ステップＳ１０１１は、最終原稿の読取りが終了したかを判定する。最終原稿の読取りが終了していない場合、次にＳ１００１を処理することで読取りを継続して行う。最終原稿の読取りが終了している場合、ステップＳ１０１２を処理する。ステップＳ１０１２は、読取終わった最終原稿を排出ローラで排出する処理を行う。
【００９９】
なお、図８〜図１０の処理は、複数の原稿を複写する一単位の複写動作において行うことができ、その場合、原稿の搬送や読取りに関する処理（Ｓ８０１、Ｓ９０２及びＳ１００１、或いは、Ｓ８０８、Ｓ９０８及びＳ１０１２）は、同じ処理となる。
【０１００】
＜他の実施形態＞
上記実施形態では、本発明を画像形成システムや、原稿の画像読取装置に適用した例を説明したが、本発明は他のシステムや装置にも適用可能である。
【０１０１】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０２】
１  画像形成システム、１７  自動原稿送り装置、２０１  原稿積載部、２０７  原稿排出部、２０８  原稿検知センサ、２０９  原稿エッジセンサ
【図１】
0006602120.tif 000002
【図２】
0006602120.tif 000003
【図３】
0006602120.tif 000004
【図４】
0006602120.tif 000005
【図５】
0006602120.tif 000006
【図６】
0006602120.tif 000007
【図７】
0006602120.tif 000008
【図８】
0006602120.tif 000009
【図９】
0006602120.tif 000010
【図１０】
0006602120.tif 000011